(57)【特許請求の範囲】
【請求項１】
第１端壁と、
前記第１端壁に対して折り曲げられている第２端壁と、
前記第１端壁の第１縁に連続しており、前記第１端壁に対して折り曲げられている第１積層壁と、
前記第１縁に連なる前記第２端壁の第２縁に連続しており、前記第２端壁に対して前記第１積層壁と同一方向に折り曲げられている第２積層壁とを備え、
前記第１積層壁は、前記第１端壁の前記第１縁に連続している第１基板部と、前記第１基板部に重畳配置されている第１折返板部とを有し、前記第１基板部と前記第１折返板部とが前記第２積層壁と対向する側で第１折曲部に沿って折り曲げられており、
前記第２積層壁は、前記第２端壁の前記第２縁に連続している第２基板部と、前記第２基板部に重畳配置されている第２折返板部とを有し、前記第２基板部と前記第２折返板部とが前記第１積層壁と対向する側で第２折曲部に沿って折り曲げられており、
前記第１積層壁には、前記第１基板部に、前記第１折曲部を起点とし前記第２積層壁側へ突出している第１係合凸部が設けられており、前記第１折返板部に、前記第１折曲部を起点とし前記第１係合凸部と相補する形状で前記第１基板部側が塞がれている第１係合凹部が設けられており、
前記第２積層壁には、前記第２折返板部に、前記第２折曲部を起点とし前記第１積層壁側へ突出している前記第１係合凹部と同一形状の第２係合凸部が設けられており、前記第２基板部に、前記第２折曲部を起点とし前記第２係合凸部と相補する形状で前記第２折返板部側が塞がれている第２係合凹部が設けられており、
前記第１積層壁の前記第１係合凸部が前記第２積層壁の前記第２係合凹部に係合されているとともに、前記第２積層壁の前記第２係合凸部が前記第１積層壁の前記第１係合凹部に係合されており、
前記第１基板部と前記第１折返板部は、前記第１折曲部が延びる方向に先端と基端をそれぞれ有し、
前記第１基板部の前記基端と前記第１端壁との間、及び前記第１折返板部の前記基端と前記第１端壁との間にそれぞれ間隔を有するとともに、
前記第１折返板部の前記先端から前記第１折返板部の前記第１端壁と対向する縁までの距離は、前記第１基板部の前記先端から前記第１端壁までの距離よりも短く、
前記第２基板部と前記第２折返板部は、前記第２折曲部が延びる方向に先端と基端をそれぞれ有し、
前記第２基板部の前記基端と前記第２端壁との間、及び前記第２折返板部の前記基端と前記第２端壁との間にそれぞれ間隔を有するとともに、
前記第２折返板部の前記先端から前記第２折返板部の前記第２端壁と対向する縁までの距離は、前記第２基板部の前記先端から前記第２端壁までの距離よりも短い、緩衝材。
【請求項２】
前記第１折曲部及び前記第２折曲部はそれぞれ、
前記第１基板部と前記第１折返板部、及び前記第２基板部と前記第２折返板部をそれぞれ連結するブリッジ部と、
前記第１基板部と前記第１折返板部における前記ブリッジ部と前記第１係合凸部を除く部分、及び前記第２基板部と前記第２折返板部における前記ブリッジ部と前記第２係合凸部を除く部分をそれぞれ切断した切断線と
を有する、請求項１に記載の緩衝材。
【請求項３】
第１端壁と、
前記第１端壁に対して折り曲げられている第２端壁と、
前記第１端壁の第１縁に連続しており、前記第１端壁に対して折り曲げられている第１積層壁と、
前記第１縁に連なる前記第２端壁の第２縁に連続しており、前記第２端壁に対して前記第１積層壁と同一方向に折り曲げられている第２積層壁とを備え、
前記第１積層壁は、前記第１端壁の前記第１縁に連続している第１基板部と、前記第１基板部に重畳配置されている第１折返板部とを有し、前記第１基板部と前記第１折返板部とが前記第２積層壁と対向する側で第１折曲部に沿って折り曲げられており、
前記第２積層壁は、前記第２端壁の前記第２縁に連続している第２基板部と、前記第２基板部に重畳配置されている第２折返板部とを有し、前記第２基板部と前記第２折返板部とが前記第１積層壁と対向する側で第２折曲部に沿って折り曲げられており、
前記第１積層壁には、前記第１基板部に、前記第１折曲部を起点とし前記第２積層壁側へ突出している第１係合凸部が設けられており、前記第１折返板部に、前記第１折曲部を起点とし前記第１係合凸部と相補する形状で前記第１基板部側が塞がれている第１係合凹部が設けられており、
前記第２積層壁には、前記第２折返板部に、前記第２折曲部を起点とし前記第１積層壁側へ突出している前記第１係合凹部と同一形状の第２係合凸部が設けられており、前記第２基板部に、前記第２折曲部を起点とし前記第２係合凸部と相補する形状で前記第２折返板部側が塞がれている第２係合凹部が設けられており、
前記第１積層壁の前記第１係合凸部が前記第２積層壁の前記第２係合凹部に係合されているとともに、前記第２積層壁の前記第２係合凸部が前記第１積層壁の前記第１係合凹部に係合されており、
前記第１折曲部及び前記第２折曲部はそれぞれ、
前記第１基板部と前記第１折返板部、及び前記第２基板部と前記第２折返板部をそれぞれ連結するブリッジ部と、
前記第１基板部と前記第１折返板部における前記ブリッジ部と前記第１係合凸部を除く部分、及び前記第２基板部と前記第２折返板部における前記ブリッジ部と前記第２係合凸部を除く部分をそれぞれ切断した切断線と
を有する、緩衝材。
【請求項４】
前記第１基板部の前記基端と前記第１端壁との間隔は、前記第１折返板部の前記基端と前記第１端壁との間隔よりも狭く、
前記第２基板部の前記基端と前記第２端壁との間隔は、前記第２折返板部の前記基端と前記第２端壁との間隔よりも狭い、請求項１又は２に記載の緩衝材。
【請求項５】
前記第１基板部と前記第１折返板部はそれぞれ、前記第１折曲部を一辺とする三角形状であり、
前記第２基板部と前記第２折返板部はそれぞれ、前記第２折曲部を一辺とする三角形状である、請求項１から４のいずれか１項に記載の緩衝材。
【請求項６】
前記第１基板部と前記第１折返板部の前記第１折曲部が延びる方向の基端と、前記第２基板部と前記第２折返板部の前記第２折曲部が延びる方向の基端とは、それぞれ面取りされている、請求項５に記載の緩衝材。
【請求項７】
段ボールシート製である、請求項１から６のいずれか１項に記載の緩衝材。
【請求項８】
前記第１折返板部の前記第１端壁と対向する縁、及び前記第２折返板部の前記第２端壁と対向する縁に、ロック部がそれぞれ設けられ、
前記第１端壁及び前記第２端壁に、前記ロック部を係止するロック孔がそれぞれ設けられている、請求項１から７のいずれか１項に記載の緩衝材。
【請求項９】
前記第１積層壁は、前記第１基板部及び前記第１折返板部のうち少なくとも一方に重畳配置されている第１補強板部を有し、
前記第２積層壁は、前記第２基板部及び前記第２折返板部のうち少なくとも一方に重畳配置されている第２補強板部を有する、請求項１から８のいずれか１項に記載の緩衝材。
【請求項１０】
第１端壁と、
前記第１端壁に連続している第２端壁と、
前記第１端壁の第１縁に連続している第１積層壁と、
前記第１縁に沿って延びている前記第２端壁の第２縁に連続している第２積層壁とを備え、
前記第１積層壁は、前記第１端壁の前記第１縁に連設されている第１基板部と、前記第１端壁の前記第１縁に対して傾斜して延びている第１折曲部を介して前記第１基板部の前記第２積層壁側に連設されている第１折返板部とを有し、
前記第２積層壁は、前記第２端壁の前記第２縁に連設されている第２基板部と、前記第２端壁の前記第２縁に対して傾斜して延びている第２折曲部を介して前記第２基板部の前記第１積層壁側に連設されている第２折返板部とを有し、
前記第１積層壁には、前記第１折曲部を起点として前記第１折返板部側へ迂回して延びる第１切断線が設けられており、この第１切断線によって前記第１基板部に連続する第１係合凸部が設けられているとともに前記第１折返板部に第１係合凹部が設けられており、
前記第２積層壁には、前記第２折曲部を起点として前記第２基板部側へ迂回して延びる第２切断線が設けられており、この第２切断線によって前記第２折返板部に連続する前記第１係合凹部と同一形状の第２係合凸部が設けられているとともに前記第２基板部に第２係合凹部が設けられており、
前記第１基板部と前記第１折返板部は、前記第１折曲部が延びる方向に先端と基端をそれぞれ有し、
前記第１基板部の前記基端と前記第１端壁との間、及び前記第１折返板部の前記基端と前記第１端壁との間にそれぞれ間隔を有するとともに、
前記第１折返板部の前記先端から前記第１折返板部の前記第２積層壁と対向する縁までの距離は、前記第１基板部の前記先端から前記第１端壁までの距離よりも短く、
前記第２基板部と前記第２折返板部は、前記第２折曲部が延びる方向に先端と基端をそれぞれ有し、
前記第２基板部の前記基端と前記第２端壁との間、及び前記第２折返板部の前記基端と前記第２端壁との間にそれぞれ間隔を有するとともに、
前記第２折返板部の前記先端から前記第２折返板部の前記第１積層壁と対向する縁までの距離は、前記第２基板部の前記先端から前記第２端壁までの距離よりも短い、緩衝材のブランク。
【請求項１１】
第１端壁と、
前記第１端壁に連続している第２端壁と、
前記第１端壁の第１縁に連続している第１積層壁と、
前記第１縁に沿って延びている前記第２端壁の第２縁に連続している第２積層壁とを備え、
前記第１積層壁は、前記第１端壁の前記第１縁に連設されている第１基板部と、前記第１端壁の前記第１縁に対して傾斜して延びている第１折曲部を介して前記第１基板部の前記第２積層壁側に連設されている第１折返板部とを有し、
前記第２積層壁は、前記第２端壁の前記第２縁に連設されている第２基板部と、前記第２端壁の前記第２縁に対して傾斜して延びている第２折曲部を介して前記第２基板部の前記第１積層壁側に連設されている第２折返板部とを有し、
前記第１積層壁には、前記第１折曲部を起点として前記第１折返板部側へ迂回して延びる第１切断線が設けられており、この第１切断線によって前記第１基板部に連続する第１係合凸部が設けられているとともに前記第１折返板部に第１係合凹部が設けられており、
前記第２積層壁には、前記第２折曲部を起点として前記第２基板部側へ迂回して延びる第２切断線が設けられており、この第２切断線によって前記第２折返板部に連続する前記第１係合凹部と同一形状の第２係合凸部が設けられているとともに前記第２基板部に第２係合凹部が設けられており、
前記第１折曲部及び前記第２折曲部は、
前記第１基板部と前記第１折返板部、及び前記第２基板部と前記第２折返板部をそれぞれ連結するブリッジ部と、
前記第１切断線及び前記第２切断線にそれぞれ連なり、前記第１基板部と前記第１折返板部における前記ブリッジ部と前記第１係合凸部を除く部分、及び前記第２基板部と前記第２折返板部における前記ブリッジ部と前記第２係合凸部を除く部分をそれぞれ切断した切断線と
を有する、緩衝材のブランク。
【発明の詳細な説明】
【技術分野】
【０００１】
本発明は、緩衝材及び緩衝材のブランクに関する。
【背景技術】
【０００２】
包装箱に物品を梱包する際には、物品の角部に配置するコーナーパッドを含む緩衝材が使用されている。パルプモールド製の緩衝材は、製造コストが高いだけでなく、保管する際に広いスペースが必要である。特許文献１，２には、安価で保管スペースを削減できる段ボール製のコーナーパッドが開示されている。
【０００３】
特許文献１のコーナーパッドは、直交方向に折り曲げられた第１端壁と第２端壁とを備えている。第１端壁の一端側には第１積層壁が設けられ、第２端壁の一端側には第２積層壁が設けられている。これら積層壁は、それぞれ直角二等辺三角形状に形成されている。第１積層壁には一対の係合凸部が設けられ、第２積層壁には一対の係合凹部が設けられている。第１積層壁の係合凸部を第２積層壁の係合凹部に係合させることで、コーナーパッドは組立状態に保持されている。
【０００４】
特許文献２のコーナーパッドは、特許文献１と同様に、第１端壁、第２端壁、第１積層壁及び第２積層壁を備えている。第１積層壁は、第１端壁に連続している第１基板部と、この第１基板部に連続している第１折返板部とを備える。同様に、第２積層壁は、第２端壁に連続している第２基板部と、この第２基板部に連続している第２折返板部とを備える。第１積層壁には、第１基板部に第２積層壁側へ突出する第１係合凸部が設けられているとともに、第１折返板部に第１係合凹部が設けられている。第２積層壁には、第２折返板部に第１係合凹部に対応する形状の第２係合凸部が設けられているとともに、第２基板部に第１係合凸部に対応する形状の第２係合凹部が設けられている。第１積層壁の第１係合凸部を第２積層壁の第２係合凹部に係合させ、第２積層壁の第２係合凸部を第１積層壁の第１係合凹部に係合させることで、コーナーパッドが組立状態に保持されている。
【先行技術文献】
【特許文献】
【０００５】
【特許文献１】特開平８−１９８３３４号公報
【特許文献２】登録実用新案第３１８８９１３号公報
【発明の概要】
【発明が解決しようとする課題】
【０００６】
しかしながら、特許文献１のコーナーパッドは、第１積層壁と第２積層壁とが厚さ方向に位置ズレすると、係合凸部と係合凹部の係合が簡単に外れるため、物品から脱落する恐れがある。一方、特許文献２のコーナーパッドは、積層壁の両面で係合凸部と係合凹部とが相互に係合するため、これらの係合が解除されることを抑制でき、組立状態を維持できる。しかし、係合凸部及び係合凹部を位置決めし、係合凸部周辺及び係合凹部内の段ボールシート（打抜屑）を分離する抜き落としにより形成しなければならないため、打抜装置の構成が複雑になる。そして、位置決めが不十分であると、係合凸部の縁や係合凹部の縁に破れや欠損が生じるため、製造が困難であり、歩留まりが悪くなる。
【０００７】
本発明は、生産性が良好で、確実に組立状態を維持できる緩衝材を提供することを課題とする。
【課題を解決するための手段】
【０００８】
本発明は、第１端壁と、前記第１端壁に対して折り曲げられている第２端壁と、前記第１端壁の第１縁に連続しており、前記第１端壁に対して折り曲げられている第１積層壁と、前記第１縁に連なる前記第２端壁の第２縁に連続しており、前記第２端壁に対して前記第１積層壁と同一方向に折り曲げられている第２積層壁とを備え、前記第１積層壁は、前記第１端壁の前記第１縁に連続している第１基板部と、前記第１基板部に重畳配置されている第１折返板部とを有し、前記第１基板部と前記第１折返板部とが前記第２積層壁と対向する側で第１折曲部に沿って折り曲げられており、前記第２積層壁は、前記第２端壁の前記第２縁に連続している第２基板部と、前記第２基板部に重畳配置されている第２折返板部とを有し、前記第２基板部と前記第２折返板部とが前記第１積層壁と対向する側で第２折曲部に沿って折り曲げられており、前記第１積層壁には、前記第１基板部に、前記第１折曲部を起点とし前記第２積層壁側へ突出している第１係合凸部が設けられており、前記第１折返板部に、前記第１折曲部を起点とし前記第１係合凸部と相補する形状で前記第１基板部側が塞がれている第１係合凹部が設けられており、前記第２積層壁には、前記第２折返板部に、前記第２折曲部を起点とし前記第１積層壁側へ突出している前記第１係合凹部と同一形状の第２係合凸部が設けられており、前記第２基板部に、前記第２折曲部を起点とし前記第２係合凸部と相補する形状で前記第２折返板部側が塞がれている第２係合凹部が設けられており、前記第１積層壁の前記第１係合凸部が前記第２積層壁の前記第２係合凹部に係合されているとともに、前記第２積層壁の前記第２係合凸部が前記第１積層壁の前記第１係合凹部に係合されている、緩衝材を提供する。
第１態様の緩衝材では、前記第１基板部と前記第１折返板部は、前記第１折曲部が延びる方向に先端と基端をそれぞれ有し、前記第１基板部の前記基端と前記第１端壁との間、及び前記第１折返板部の前記基端と前記第１端壁との間にそれぞれ間隔を有するとともに、前記第１折返板部の前記先端から前記第１折返板部の前記第１端壁と対向する縁までの距離は、前記第１基板部の前記先端から前記第１端壁までの距離よりも短く、前記第２基板部と前記第２折返板部は、前記第２折曲部が延びる方向に先端と基端をそれぞれ有し、前記第２基板部の前記基端と前記第２端壁との間、及び前記第２折返板部の前記基端と前記第２端壁との間にそれぞれ間隔を有するとともに、前記第２折返板部の前記先端から前記第２折返板部の前記第２端壁と対向する縁までの距離は、前記第２基板部の前記先端から前記第２端壁までの距離よりも短い。
第２態様の緩衝材では、前記第１折曲部及び前記第２折曲部はそれぞれ、前記第１基板部と前記第１折返板部、及び前記第２基板部と前記第２折返板部をそれぞれ連結するブリッジ部と、前記第１基板部と前記第１折返板部における前記ブリッジ部と前記第１係合凸部を除く部分、及び前記第２基板部と前記第２折返板部における前記ブリッジ部と前記第２係合凸部を除く部分をそれぞれ切断した切断線とを有する。
【０００９】
ここで、第１端壁の第１縁側に位置している第１基板部とは、第１基板部が第１端壁の第１縁に連続している構成、第１基板部が第１折返板部を除く他の板部を介して第１端壁の第１縁に連続している構成を意味する。同様に、第２端壁の第２縁側に位置している第２基板部とは、第２基板部が第２端壁の第２縁に連続している構成、第２基板部が第２折返板部を除く他の板部を介して第２端壁の第１縁に連続している構成を意味する。
【００１０】
この緩衝材は、各積層壁の厚さ方向において、第１積層壁の第１係合凸部が第２積層壁の第２係合凹部に一方側から係合し、第２積層壁の第２係合凸部が第１積層壁の第１係合凹部に他方側から係合している。そのため、第１積層壁と第２積層壁とが厚さ方向に位置ズレしても、それぞれの係合凸部と係合凹部の係合が解除されることを抑制でき、確実に組立状態を維持できる。
【００１１】
前記第１積層壁は、前記第１基板部及び前記第１折返板部のうち少なくとも一方に重畳配置されている第１補強板部を有し、前記第２積層壁は、前記第２基板部及び前記第２折返板部のうち少なくとも一方に重畳配置されている第２補強板部を有する。この態様によれば、第１積層壁及び第２積層壁の緩衝性能を向上できる。なお、補強板部は、１枚でもよいし２枚以上設けてもよい。また、補強板部を配置する部分は、基板部と折返板部との間でもよいし、基板部の折返板部と反対側でもよいし、折返板部の基板部と反対側でもよい。
【００１２】
この緩衝材のブランクは、第１端壁と、前記第１端壁に連続している第２端壁と、前記第１端壁の第１縁に連続している第１積層壁と、前記第１縁に沿って延びている前記第２端壁の第２縁に連続している第２積層壁とを備え、前記第１積層壁は、前記第１端壁の前記第１縁に連設されている第１基板部と、前記第１端壁の前記第１縁に対して傾斜して延びている第１折曲部を介して前記第１基板部の前記第２積層壁側に連設されている第１折返板部とを有し、前記第２積層壁は、前記第２端壁の前記第２縁に連設されている第２基板部と、前記第２端壁の前記第２縁に対して傾斜して延びている第２折曲部を介して前記第２基板部の前記第１積層壁側に連設されている第２折返板部とを有し、前記第１積層壁には、前記第１折曲部を起点として前記第１折返板部側へ迂回して延びる第１切断線が設けられており、この第１切断線によって前記第１基板部に連続する第１係合凸部が設けられているとともに前記第１折返板部に第１係合凹部が設けられており、前記第２積層壁には、前記第２折曲部を起点として前記第２基板部側へ迂回して延びる第２切断線が設けられており、この第２切断線によって前記第２折返板部に連続する前記第１係合凹部と同一形状の第２係合凸部が設けられているとともに前記第２基板部に第２係合凹部が設けられている。
第１態様のブランクでは、前記第１基板部と前記第１折返板部は、前記第１折曲部が延びる方向に先端と基端をそれぞれ有し、前記第１基板部の前記基端と前記第１端壁との間、及び前記第１折返板部の前記基端と前記第１端壁との間にそれぞれ間隔を有するとともに、前記第１折返板部の前記先端から前記第１折返板部の前記第２積層壁と対向する縁までの距離は、前記第１基板部の前記先端から前記第１端壁までの距離よりも短く、前記第２基板部と前記第２折返板部は、前記第２折曲部が延びる方向に先端と基端をそれぞれ有し、前記第２基板部の前記基端と前記第２端壁との間、及び前記第２折返板部の前記基端と前記第２端壁との間にそれぞれ間隔を有するとともに、前記第２折返板部の前記先端から前記第２折返板部の前記第１積層壁と対向する縁までの距離は、前記第２基板部の前記先端から前記第２端壁までの距離よりも短い。
第２態様のブランクでは、前記第１折曲部及び前記第２折曲部は、前記第１基板部と前記第１折返板部、及び前記第２基板部と前記第２折返板部をそれぞれ連結するブリッジ部と、前記第１切断線及び前記第２切断線にそれぞれ連なり、前記第１基板部と前記第１折返板部における前記ブリッジ部と前記第１係合凸部を除く部分、及び前記第２基板部と前記第２折返板部における前記ブリッジ部と前記第２係合凸部を除く部分をそれぞれ切断した切断線とを有する。
【００１３】
このブランクで前記緩衝材を組み立てる際には、例えば第１折曲線に沿って第１基板部に対して第１折返板部を折り曲げるとともに、第２折曲線に沿って第２基板部に対して第２折返板部を折り曲げる。これにより、第１基板部から第１係合凸部が突出するとともに、第１折返板部に第１係合凹部が形成される。また、第２折返板部から第２係合凸部が突出するとともに、第２基板部に第２係合凹部が形成される。ついで、第１基板部と第１折返板部とを重畳させた第１積層壁を第１端壁に対して折り曲げるとともに、第２基板部と第２折返板部とを重畳させた第２積層壁を第２端壁に対して第１積層壁と同一方向に折り曲げる。その後、第１積層壁と第２積層壁とが近づくように、第１端壁に対して第２端壁を折り曲げる。そして、第１積層壁の第１係合凸部を第２積層壁の第２係合凹部に係合させるとともに、第２積層壁の第２係合凸部を第１積層壁の第１係合凹部に係合させる。
【００１４】
このブランクでは、第１折曲線を起点として第１折返板部側に第１切断線を設けることで、第１基板部に連続した第１係合凸部を形成しているとともに、第１折返板部に第１係合凹部を形成している。また、第２折曲線を起点として第２基板部側に第２切断線を設けることで、第２折返板部に連続した第２係合凸部を形成しているとともに、第２基板部に第２係合凹部を形成している。即ち、係合凸部と係合凹部を形成する際には、刃を入れて切断線を設けるだけで、係合凸部の周囲及び係合凹部内の部分を抜き落とす必要がない。よって、ブランクを形成する際に複雑な位置決め機構を設ける必要はないうえ、係合凸部の縁や係合凹部の縁に破れや欠損が生じることもない。そのため、ブランクの生産性が良好であり、歩留まりも向上できる。
【発明の効果】
【００１５】
本発明の緩衝材では、各積層壁の係合凸部を相手方の積層壁の係合凹部に係合しているため、第１積層壁と第２積層壁とが厚さ方向に位置ズレしても、係合凸部と係合凹部の係合が解除されることを抑制でき、確実に組立状態を維持できる。また、この緩衝材のブランクは、係合凸部の周囲及び係合凹部内の部分を抜き落とす必要がないため、生産性が良好であり、歩留まりも向上できる。
【図面の簡単な説明】
【００１６】
【図１Ａ】第１実施形態の緩衝材の上方斜視図。
【図１Ｂ】図１の下方斜視図。
【図２Ａ】図１の平面図。
【図２Ｂ】図２ＡのＡ−Ａ線断面図。
【図３Ａ】第１実施形態の緩衝材のブランクを示す平面図。
【図３Ｂ】緩衝材を形成する段ボールシートの断面図。
【図３Ｃ】緩衝材を形成する他の段ボールシートの断面図。
【図４】第１実施形態の緩衝材の組立工程を示す斜視図。
【図５Ａ】第２実施形態の緩衝材の上方斜視図。
【図５Ｂ】図５Ａの中央横断面図。
【図６】第２実施形態の緩衝材のブランクを示す平面図。
【図７Ａ】第２実施形態の緩衝材の組立工程を示す斜視図。
【図７Ｂ】第２実施形態の緩衝材の他の組立工程を示す斜視図。
【図８Ａ】第３実施形態の緩衝材の上方斜視図。
【図８Ｂ】図８Ａの中央横断面図。
【図９】第３実施形態の緩衝材のブランクを示す平面図。
【図１０】第３実施形態の緩衝材の組立工程を示す斜視図。
【図１１Ａ】第４実施形態の緩衝材の下方斜視図。
【図１１Ｂ】図１１Ａの中央横断面図。
【図１２】第４実施形態の緩衝材のブランクを示す平面図。
【図１３】第４実施形態の緩衝材の組立工程を示す斜視図。
【図１４】第５実施形態の緩衝材のブランクを示す平面図。
【図１５】第５実施形態の緩衝材の組立工程を示す斜視図。
【図１６】第６実施形態の緩衝材の上方斜視図。
【図１７】第６実施形態の緩衝材のブランクを示す平面図。
【図１８】第６実施形態の緩衝材の組立工程を示す斜視図。
【図１９】第７実施形態の緩衝材の上方斜視図。
【図２０】第７実施形態の緩衝材のブランクを示す平面図。
【図２１Ａ】緩衝材の変形例を示す平面図。
【図２１Ｂ】緩衝材の他の変形例を示す平面図。
【発明を実施するための形態】
【００１７】
以下、本発明の実施の形態を図面に従って説明する。なお、以下の説明では、必要に応じて特定の方向や位置を示す用語（例えば、「上」、「下」、「右」、「左」を含む用語）を用いるが、それらの用語の使用は図面を参照した発明の理解を容易にするためであって、それらの用語の意味によって本発明の技術的範囲が限定されるものではない。
【００１８】
（第１実施形態）
図１Ａから図４は、第１実施形態に係る緩衝材１０を示す。図１Ａから図２Ｂに示すように、緩衝材１０は、第１端壁１２Ａと、第１端壁１２Ａに連続している第２端壁１２Ｂと、これら端壁１２Ａ，１２Ｂの一端側に設けられた第３端壁１２Ｃとを備える。そのうち、第３端壁１２Ｃは、第１端壁１２Ａに連続している第１積層壁１５Ａと、第２端壁１２Ｂに連続している第２積層壁１５Ｂとを備える。この緩衝材１０は、例えば第１端壁１２Ａが物品の第１側面に配置され、第２端壁１２Ｂが第１側面に隣接している物品の第２側面に配置され、第３端壁１２Ｃが物品の端面に配置されるコーナーパッドである。
【００１９】
緩衝材１０は、紙製の段ボールシートを周知の紙器打抜装置によって、図３Ａに示す一枚のブランクとして打ち抜き、所定部位を折り曲げることで形成されている。図３Ｂに示すように、汎用の段ボールシート１Ａは、平坦な表ライナ２と、表ライナ２と間隔をあけて配置されている平坦な裏ライナ３と、表ライナ２と裏ライナ３との間に配置されている波状の中しん５とを備えている。また、緩衝材１０は、図３Ｃに示す複両面段ボールシート１Ｂを用いて形成してもよい。複両面段ボールシート１Ｂは、表ライナ２と裏ライナ３の間に中ライナ４を更に備えている。表ライナ２と中ライナ４との間、及び裏ライナ３と中ライナ４の間には、それぞれ中しん５が配置されている。複両面段ボールシート１Ｂは、汎用段ボールシート１Ａと比較して、肉厚が厚く、耐圧強度が高い。
【００２０】
図１Ａから図２Ｂに示すように、第１端壁１２Ａと第２端壁１２Ｂとは、それぞれ平坦な長方形状の板であり、互いに９０度間隔をあけて位置するように折り曲げられている。図３Ａを参照すると、第２端壁１２Ｂは、第１端壁１２Ａの右側縁に折曲線１３を介して連設されている。折曲線１３は、第１端壁１２Ａと第２端壁１２Ｂの境界線であり、本実施形態では折曲性が良好なリード罫によって構成されている。リード罫は、押罫を入れることで段ボールシートの肉厚を圧縮した汎用罫線（図３Ａに一点鎖線で示す。）と、汎用罫線に沿って間隔をあけて刃を入れて段ボールシートを切断した切断部（図３Ａに実線で示す。）とを備えている。
【００２１】
図１Ｂに最も明瞭に示すように、第３端壁１２Ｃを構成する第１積層壁１５Ａは、第２端壁１２Ｂが延びる方向に沿って延びるように、第１端壁１２Ａに対して折り曲げられている。図３Ａを参照すると、第１積層壁１５Ａは、折曲線１３に対して直交方向に延びている第１端壁１２Ａの下縁（第１縁）に折曲線１６Ａを介して連設されている。第３端壁１２Ｃを構成する第２積層壁１５Ｂは、第１端壁１２Ａが延びる方向に沿って延びるように、第２端壁１２Ｂに対して折り曲げられている。図３Ａを参照すると、第２積層壁１５Ｂは、第１端壁１２Ａの下縁である折曲線１６Ａに沿って、直線上（図１Ｂにおいて同一平面上）に位置している第２端壁１２Ｂの下縁（第２縁）に折曲線１６Ｂを介して連設されている。折曲線１６Ａ，１６Ｂは、折曲線１３と同様のリード罫からなる。
【００２２】
図１Ａから図２Ｂに示すように、各積層壁１５Ａ，１５Ｂは、基板部１８Ａ，１８Ｂと折返板部１９Ａ，１９Ｂとを備え、これらを重畳配置した積層構造体である。各積層壁１５Ａ，１５Ｂには、係合凸部２６Ａ，２６Ｂと係合凹部２７Ａ，２７Ｂがそれぞれ設けられている。これら係合凸部２６Ａ，２６Ｂと係合凹部２７Ａ，２７Ｂを相互に係合させることで、緩衝材１０の組立状態が維持されている。
【００２３】
詳しくは、第１積層壁１５Ａは、第１端壁１２Ａの第１縁である折曲線１６Ａ側に位置している第１基板部１８Ａと、第１基板部１８Ａの上面に重畳配置されている第１折返板部１９Ａとを備えている。これら第１基板部１８Ａと第１折返板部１９Ａとは、第１端壁１２Ａと第２端壁１２Ｂの境界線である折曲線１３側で折曲線（第１折曲線）２０Ａを介して連設されている。図３Ａを参照すると、第１基板部１８Ａは、直角二等辺三角形状であり、第１端壁１２Ａの下縁に折曲線１６Ａを介して連設されている。第１折返板部１９Ａは、第１基板部１８Ａに対して概ね線対称な直角二等辺三角形状であり、折曲線１６Ａに対して４５度の角度で傾斜して延びている折曲線２０Ａを介して第１基板部１８Ａの斜辺に連設されている。この第１折返板部１９Ａは、第１基板部１８Ａを介して第１端壁１２Ａに連設されている。
【００２４】
第２積層壁１５Ｂは、第２端壁１２Ｂの第２縁である折曲線１６Ｂ側に位置している第２基板部１８Ｂと、第２基板部１８Ｂの上面に重畳配置されている第２折返板部１９Ｂとを備えている。これら第２基板部１８Ｂと第２折返板部１９Ｂとは、折曲線１３側で折曲線（第２折曲線）２０Ｂを介して連設されている。この折曲線２０Ａと折曲線２０Ｂとは、第１積層壁１５Ａと第２積層壁１５Ｂの対向部である。図３Ａを参照すると、第２基板部１８Ｂは、直角二等辺三角形状であり、第２端壁１２Ｂの下縁に折曲線１６Ｂを介して連設されている。第２折返板部１９Ｂは、第２基板部１８Ｂに対して概ね線対称な直角二等辺三角形状であり、折曲線１６Ｂに対して４５度の角度で傾斜して延びている折曲線２０Ｂを介して第２基板部１８Ｂの斜辺に連設されている。この第２折返板部１９Ｂは、第２基板部１８Ｂを介して第２端壁１２Ｂに連設されている。
【００２５】
図３Ａに示すように、本実施形態の折返板部１９Ａ，１９Ｂは、互いに隣接して位置するように、折曲線２０Ａ，２０Ｂを介して基板部１８Ａ，１８Ｂの内側に連設されている。折曲線２０Ａ，２０Ｂは、折曲線１３の下端から徐々に間隔が広がるように、外向きに傾斜して延びている。これら折曲線２０Ａ，２０Ｂは、基板部１８Ａ，１８Ｂと折返板部１９Ａ，１９Ｂを連結するブリッジ部２１と、ブリッジ部２１と係合凸部２６Ａ，２６Ｂを除く部分を切断した切断部２４とを備えている。
【００２６】
ブリッジ部２１は、係合凸部２６Ａ，２６Ｂの両側に位置するように一対設けられている。このブリッジ部２１は、切断部２４と交差するように直交方向に延びる一対の切断線２２，２２と、切断線２２，２２の一方から他方にかけて延びる一対の折曲線２３とを備えている。折曲線２３は、切断線２２，２２の端部近傍に設けられ、切断部２４と平行に延びている。
【００２７】
切断部２４は、折曲線１３の下端から一方のブリッジ部２１にかけて延びる第１部分と、一方のブリッジ部２１から係合凸部２６Ａ，２６Ｂにかけて延びる第２部分とを備えている。また、切断部２４は、係合凸部２６Ａ，２６Ｂから他方のブリッジ部２１にかけて延びる第３部分と、他方のブリッジ部２１からブランクの外側縁にかけて延びる第４部分とを備えている。
【００２８】
図１Ａ及び図１Ｂに示すように、第１積層壁１５Ａには、第１基板部１８Ａに第１係合凸部２６Ａが設けられており、第１折返板部１９Ａに第１係合凹部２７Ａが設けられている。第２積層壁１５Ｂには、第２折返板部１９Ｂに第２係合凸部２６Ｂが設けられており、第２基板部１８Ｂに第２係合凹部２７Ｂが設けられている。
【００２９】
第１係合凸部２６Ａは、折曲線２０Ａを起点として第１基板部１８Ａから第２積層壁１５Ｂ側へ突出している。第２係合凸部２６Ｂは、折曲線２０Ｂを起点として第２折返板部１９Ｂから第１積層壁１５Ａ側へ突出している。これら係合凸部２６Ａ，２６Ｂは同一形状であり、基端側から先端側に向けて広がる概ね逆三角形状に形成されている。
【００３０】
第１係合凹部２７Ａは、折曲線２０Ａを起点として第１折返板部１９Ａに設けられている。この第１係合凹部２７Ａは、第１係合凸部２６Ａ及び第２係合凸部２６Ｂの形状と対応して相補する形状であり、図２Ａ及び図２Ｂを参照すると一端（下端）側が第１基板部１８Ａで塞がれている。第２係合凹部２７Ｂは、折曲線２０Ｂを起点として第２基板部１８Ｂに設けられている。この第２係合凹部２７Ｂは、第１係合凸部２６Ａ及び第２係合凸部２６Ｂの形状と対応して相補する形状であり、図２Ａ及び図２Ｂを参照すると一端（上端）側が第２折返板部１９Ｂで塞がれている。なお、積層壁１５Ａ，１５Ｂは、１枚のブランクからなる同一部材であるが、第１積層壁１５Ａと第２緩衝部壁Ｂとを明確に区別できるように図２Ｂでは別方向に延びるハッチングを付している。
【００３１】
図３Ａに示すように、第１積層壁１５Ａには、折曲線２０Ａを起点として第１折返板部１９Ａ側へ迂回して延びる切断線（第１切断線）２８Ａが設けられている。第２積層壁１５Ｂには、折曲線２０Ｂを起点として第２基板部１８Ｂ側へ迂回して延びる切断線（第２切断線）２８Ｂが設けられている。これら切断線２８Ａ，２８Ｂは、間隔をあけて位置する一対の切断部２４，２４の端部から、互いの間隔が次第に広くなるように傾斜した一対の第１切断部２９，２９を備えている。また、切断線２８Ａ，２８Ｂは、一対の第１切断部２９，２９のうち一方の先端から他方の先端にかけて、切断部２４と平行に延びる第２切断部３０を備えている。
【００３２】
第１積層壁１５Ａには、第１折返板部１９Ａに切断線２８Ａを設けることで、第１基板部１８Ａに連続する第１係合凸部２６Ａが切断線２８Ａ内に画定されている。また、第１折返板部１９Ａには、切断線２８Ａの切断縁による第１係合凹部２７Ａが画定されている。第２積層壁１５Ｂには、第２基板部１８Ｂに切断線２８Ｂを設けることで、第２折返板部１９Ｂに連続する第２係合凸部２６Ｂが切断線２８Ｂ内に画定されている。また、第２基板部１８Ｂには、切断線２８Ｂの切断縁による第２係合凹部２７Ｂが画定されている。
【００３３】
図１Ａに示すように、第１端壁１２Ａには、矩形状の第１ロック孔３２Ａが設けられており、第２端壁１２Ｂには、矩形状の第２ロック孔３２Ｂが設けられている。また、第１折返板部１９Ａには、第１ロック孔３２Ａに係止する矩形状の第１ロック部３３Ａが突設されており、第２折返板部１９Ｂには、第２ロック孔３２Ｂに係止する矩形状の第２ロック部３３Ｂが突設されている。図３Ａに示すように、ロック孔３２Ａ，３２Ｂは、折曲線１６Ａ，１６Ｂに沿って位置するように端壁１２Ａ，１２Ｂを部分的に打ち抜くことで形成されている。ロック部３３Ａ，３３Ｂは、隣接配置されている折返板部１９Ａ，１９Ｂの互いに対向する縁から突出されている。ロック部３３Ａ，３３Ｂは、折返板部１９Ａ，１９Ｂ間に設けた部分的な連結部に、折曲線１３の延長線上に位置する切断線３４を設けることで形成されている。
【００３４】
次に、図３Ａに示すブランクを図１Ａに示す緩衝材１０として組み立てる手順の一例を説明する。
【００３５】
まず、図４に示すように、折曲線２０Ａに沿って第１基板部１８Ａに対して第１折返板部１９Ａを折り曲げるとともに、折曲線２０Ｂに沿って第２基板部１８Ｂに対して第２折返板部１９Ｂを折り曲げる。これにより、第１基板部１８Ａから第１係合凸部２６Ａが突出するとともに、第１折返板部１９Ａに第１係合凹部２７Ａが形成される。また、第２折返板部１９Ｂから第２係合凸部２６Ｂが突出するとともに、第２基板部１８Ｂに第２係合凹部２７Ｂが形成される。そして、第１係合凹部２７Ａは一端側が第１基板部１８Ａによって塞がれ、第２係合凹部２７Ｂは一端側が第２折返板部１９Ｂによって塞がれる。
【００３６】
ついで、第１基板部１８Ａと第１折返板部１９Ａとを重畳させた第１積層壁１５Ａを第１端壁１２Ａに対して折り曲げるとともに、第２基板部１８Ｂと第２折返板部１９Ｂとを重畳させた第２積層壁１５Ｂを第２端壁１２Ｂに対して折り曲げる。この際、第１積層壁１５Ａと第２積層壁１５Ｂとは、互いに同一方向に屈曲するように折り曲げられる。また、各積層壁１５Ａ，１５Ｂのロック部３３Ａ，３３Ｂを各端壁１２Ａ，１２Ｂのロック孔３２Ａ，３２Ｂに挿入係止する。これにより基板部１８Ａ，１８Ｂに対して折返板部１９Ａ，１９Ｂが浮き上がることを防止する。
【００３７】
その後、図１Ａから図２Ｂに示すように、第１積層壁１５Ａと第２積層壁１５Ｂが近づくように、折曲線１３に沿って第１端壁１２Ａに対して第２端壁１２Ｂを折り曲げる。そして、第１積層壁１５Ａの第１係合凸部２６Ａを第２積層壁１５Ｂの第２係合凹部２７Ｂに係合させるとともに、第２積層壁１５Ｂの第２係合凸部２６Ｂを第１積層壁１５Ａの第１係合凹部２７Ａに係合させる。これにより、一体化した第３端壁１２Ｃが形成される。
【００３８】
この緩衝材１０は、積層壁１５Ａ，１５Ｂの厚さ方向において、各積層壁１５Ａ，１５Ｂの係合凸部２６Ａ，２６Ｂが、相手方の積層壁１５Ａ，１５Ｂの係合凹部２７Ａ，２７Ｂに、上下両方向から係合している。そのため、第１積層壁１５Ａと第２積層壁１５Ｂとが厚さ方向に位置ズレしても、それぞれの係合凸部２６Ａ，２６Ｂと係合凹部２７Ａ，２７Ｂの係合が解除されることを抑制できる。よって、緩衝材１０の組立状態を確実に維持できる。また、緩衝材１０は一枚のブランクを折り曲げることで形成されるため、パルプモールド製の緩衝材と比較して安価で、かつ非使用時の保管スペースを削減できる。
【００３９】
また、緩衝材１０のブランクは、折曲線２０Ａ，２０Ｂを起点として切断線２８Ａ，２８Ｂを設けることで、各積層壁１５Ａ，１５Ｂに係合凸部２６Ａ，２６Ｂと係合凹部２７Ａ，２７Ｂとが形成されている。即ち、係合凸部２６Ａ，２６Ｂと係合凹部２７Ａ，２７Ｂを形成する際には、刃を入れて切断線２８Ａ，２８Ｂを設けるだけで、係合凸部２６Ａ，２６Ｂの周囲及び係合凹部２７Ａ，２７Ｂ内の部分を抜き落とす必要がない。よって、ブランクを形成する打抜装置に複雑な位置決め機構を設ける必要はない。しかも、係合凸部２６Ａ，２６Ｂの縁や係合凹部２７Ａ，２７Ｂの縁に破れや欠損が生じることもない。そのため、ブランクの生産性が良好であり、歩留まりも向上できる。
【００４０】
（第２実施形態）
図５Ａから図７Ｂは第２実施形態の緩衝材１０を示す。この第２実施形態の緩衝材１０では、基板部１８Ａ，１８Ｂと折返板部１９Ａ，１９Ｂとの間に補強板部３６Ａ，３６Ｂを配置し、積層壁１５Ａ，１５Ｂを三層構造の巻込型組立方式とした点で、第１実施形態と相違している。詳しくは、図５Ａ及び図５Ｂに示すように、緩衝材１０の積層壁１５Ａ，１５Ｂは、端壁１２Ａ，１２Ｂに対して基板部１８Ａ，１８Ｂが折り曲げられ、この基板部１８Ａ，１８Ｂの上面に補強板部３６Ａ，３６Ｂが重畳配置され、この補強板部３６Ａ，３６Ｂの上面に折返板部１９Ａ，１９Ｂが重畳配置されている。
【００４１】
図６に示すように、第１補強板部３６Ａは、第１折返板部１９Ａに対して線対称な直角二等辺三角形状である。この第１補強板部３６Ａは、折曲線１６Ａに沿って平行に延びている折曲線３７Ａを介して第１折返板部１９Ａに連設されている。即ち、第１補強板部３６Ａは、第１折返板部１９Ａに対して第１基板部１８Ａから離れて位置する縁に折曲線３７Ａを介して連設されている。同様に、第２補強板部３６Ｂは、第２折返板部１９Ｂに対して線対称な直角二等辺三角形状である。この第２補強板部３６Ｂは、折曲線１６Ｂに沿って平行に延びている折曲線３７Ｂを介して第２折返板部１９Ｂに連設されている。即ち、第２補強板部３６Ｂは、第２折返板部１９Ｂに対して第２基板部１８Ｂから離れて位置する縁に折曲線３７Ｂを介して連設されている。
【００４２】
折曲線３７Ａ，３７Ｂは折曲線２０Ａ，２０Ｂと同様に、ブリッジ部３８と切断部４１とを備えている。ブリッジ部３８は、折返板部１９Ａ，１９Ｂと補強板部３６Ａ，３６Ｂの境界部分の概ね中央に位置するように１個設けられている。このブリッジ部３８は、一対の切断線３９，３９と、一対の折曲線４０とを備えている。切断部４１は、ブリッジ部３８の両側に位置するように一対設けられている。
【００４３】
また、補強板部３６Ａ，３６Ｂには、折曲線３７Ａ，３７Ｂと対向する斜辺に、一対の切欠溝４３，４３が設けられている。切欠溝４３は、補強板部３６Ａ，３６Ｂを折曲線３７Ａ，３７Ｂに沿って折り曲げることで、折曲線２０Ａ，２０Ｂのブリッジ部２１と重なる位置に設けられている。この切欠溝４３の幅は、ブリッジ部２１の一対の切断線２２，２２間の幅と同一である。
【００４４】
次に、図６に示すブランクを図５Ａに示す緩衝材１０として組み立てる手順の一例を説明する。
【００４５】
まず、図７Ａに示すように、折曲線３７Ａ，３７Ｂに沿って補強板部３６Ａ，３６Ｂを折返板部１９Ａ，１９Ｂに対して折り曲げた後、折曲線２０Ａ，２０Ｂに沿って基板部１８Ａ，１８Ｂに対して折返板部１９Ａ，１９Ｂを折り曲げる。そして、図７Ｂに示すように、下側から順番に基板部１８Ａ，１８Ｂ、補強板部３６Ａ，３６Ｂ、及び折返板部１９Ａ，１９Ｂを積層する。これにより、第１基板部１８Ａから第１係合凸部２６Ａが突出するとともに、第１折返板部１９Ａに第１係合凹部２７Ａが形成される。また、第２折返板部１９Ｂから第２係合凸部２６Ｂが突出するとともに、第２基板部１８Ｂに第２係合凹部２７Ｂが形成される。そして、第１係合凹部２７Ａは一端側が第１補強板部３６Ａによって塞がれ、第２係合凹部２７Ｂは一端側が第２補強板部３６Ｂによって塞がれる。
【００４６】
ついで、３枚の板部を積層した積層壁１５Ａ，１５Ｂを端壁１２Ａ，１２Ｂに対して同一方向に折り曲げ、各積層壁１５Ａ，１５Ｂのロック部３３Ａ，３３Ｂを各端壁１２Ａ，１２Ｂのロック孔３２Ａ，３２Ｂに挿入係止する。その後、図５Ａ及び図５Ｂに示すように、積層壁１５Ａ，１５Ｂが近づくように折曲線１３に沿って端壁１２Ａ，１２Ｂを折り曲げ、積層壁１５Ａ，１５Ｂの係合凸部２６Ａ，２６Ｂを相手方の積層壁１５Ａ，１５Ｂの第２係合凹部２７Ａ，２７Ｂに係合させる。
【００４７】
この第２実施形態の緩衝材１０は、第１実施形態と同様の作用及び効果を得ることができる。しかも、各積層壁１５Ａ，１５Ｂは、基板部１８Ａ，１８Ｂと補強板部３６Ａ，３６Ｂと折返板部１９Ａ，１９Ｂとを重畳配置した３枚の積層構造としているため、耐圧強度と緩衝性能の両方を向上できる。
【００４８】
（第３実施形態）
図８Ａから図１０は第３実施形態の緩衝材１０を示す。この第３実施形態の緩衝材１０では、積層壁１５Ａ，１５Ｂが第２実施形態と同様に、基板部１８Ａ，１８Ｂと折返板部１９Ａ，１９Ｂと補強板部３６Ａ，３６Ｂとを備えているが、積層する順番が異なる蛇腹型組立方式とした点で相違する。詳しくは、図８Ａ及び図８Ｂに示すように、積層壁１５Ａ，１５Ｂは、端壁１２Ａ，１２Ｂに対して基板部１８Ａ，１８Ｂが折り曲げられ、この基板部１８Ａ，１８Ｂの上面に折返板部１９Ａ，１９Ｂが重畳配置され、この折返板部１９Ａ，１９Ｂの上面に補強板部３６Ａ，３６Ｂが重畳配置されている。
【００４９】
図９に示すように、第３実施形態の緩衝材１０のブランクは、第２実施形態と同様に、端壁１２Ａ，１２Ｂ、基板部１８Ａ，１８Ｂ、折返板部１９Ａ，１９Ｂ、及び補強板部３６Ａ，３６Ｂが上側から順番に連設されている。そして、ロック部３３Ａ，３３Ｂは、折返板部１９Ａ，１９Ｂの代わりに補強板部３６Ａ，３６Ｂに設けられている。また、補強板部３６Ａ，３６Ｂには、切欠溝４３が設けられていない。
【００５０】
図８Ａ及び図８Ｂに示すように、第１積層壁１５Ａの第１係合凸部２６Ａは、下段に位置する第１基板部１８Ａから突出している。第１積層壁１５Ａの第１係合凹部２７Ａは、中段に位置する第１折返板部１９Ａに形成されている。第２積層壁１５Ｂの第２係合凸部２６Ｂは、中段に位置する第２折返板部１９Ｂから突出している。第２積層壁１５Ｂの第２係合凹部２７Ｂは、下段に位置する第２基板部１８Ｂに形成されている。そのため、第１係合凸部２６Ａ及び第２係合凹部２７Ｂは、積層壁１５Ａ，１５Ｂの下部で露出している。また、第１係合凹部２７Ａ及び第２係合凸部２６Ｂは、中段の折返板部１９Ａ，１９Ｂに形成されているため、上面に補強板部３６Ａ，３６Ｂが位置している。
【００５１】
第１補強板部３６Ａには、中段に位置する第１係合凹部２７Ａに第２係合凸部２６Ｂを係合するために、第１係合凹部２７Ａに連通する挿通孔４５が設けられている。図９を参照すると、挿通孔４５は、第１補強板部３６Ａの斜辺に設けた切り欠きからなる。本実施形態の挿通孔４５は、第１係合凹部２７Ａより大きい矩形状に形成されているが、第２係合凸部２６Ｂを挿通可能であれば、その形状等は希望に応じて変更が可能である。
【００５２】
図１０に示すように、第３実施形態の緩衝材１０のブランクを組み立てる際には、例えば基板部１８Ａ，１８Ｂに対して折返板部１９Ａ，１９Ｂを折り曲げた後、折返板部１９Ａ，１９Ｂに対して補強板部３６Ａ，３６Ｂを折り曲げる。これにより、各積層壁１５Ａ，１５Ｂに、係合凸部２６Ａ，２６Ｂを形成するとともに、係合凹部２７Ａ，２７Ｂを形成する。ついで、図８Ａ及び図８Ｂに示すように、端壁１２Ａ，１２Ｂを折り曲げ、第１積層壁１５Ａの第１係合凸部２６Ａを第２積層壁１５Ｂの第２係合凹部２７Ｂに係合させる。また、第２積層壁１５Ｂの第２係合凸部２６Ｂを、挿通孔４５を通して第１積層壁１５Ａの第１係合凹部２７Ａに係合させる。
【００５３】
（第４実施形態）
図１１Ａから図１３は第４実施形態の緩衝材１０を示す。この第４実施形態の緩衝材１０では、積層壁１５Ａ，１５Ｂが第３実施形態と同様に、基板部１８Ａ，１８Ｂと折返板部１９Ａ，１９Ｂと補強板部３６Ａ，３６Ｂとを備えているが、これらを端壁１２Ａ，１２Ｂに対して連設する順番及び方向が異なるようにした点で相違する。詳しくは、図１１Ａ及び図１１Ｂに示すように、積層壁１５Ａ，１５Ｂは、端壁１２Ａ，１２Ｂに対して補強板部３６Ａ，３６Ｂが折り曲げられ、この補強板部３６Ａ，３６Ｂの上面に基板部１８Ａ，１８Ｂが重畳配置され、この基板部１８Ａ，１８Ｂの上面に折返板部１９Ａ，１９Ｂが重畳配置されている。
【００５４】
図１２に示すように、第４実施形態の緩衝材１０のブランクには、端壁１２Ａ，１２Ｂの下縁（第１縁及び第２縁）に折曲線１６Ａ，１６Ｂを介して補強板部３６Ａ，３６Ｂが連設されている。補強板部３６Ａ，３６Ｂの両側縁には、折曲線３７Ａ，３７Ｂを介して基板部１８Ａ，１８Ｂが連設されている。即ち、基板部１８Ａ，１８Ｂは、補強板部３６Ａ，３６Ｂを介して端壁１２Ａ，１２Ｂに連設されている。また、基板部１８Ａ，１８Ｂの両側の斜辺には、折曲線２０Ａ，２０Ｂを介して折返板部１９Ａ，１９Ｂが連設されている。即ち、基板部１８Ａ，１８Ｂは、折返板部１９Ａ，１９Ｂより折曲線１６Ａ，１６Ｂ側に配置されている。
【００５５】
図１１Ａ及び図１１Ｂに示すように、積層壁１５Ａ，１５Ｂは、外向きに連設した補強板部３６Ａ，３６Ｂ、基板部１８Ａ，１８Ｂ、及び折返板部１９Ａ，１９Ｂを順番に配置する蛇腹型組立方式である。第１積層壁１５Ａの第１係合凸部２６Ａは、中段に位置する第１基板部１８Ａから突出している。第１積層壁１５Ａの第１係合凹部２７Ａは、上段に位置する第１折返板部１９Ａに形成されている。第２積層壁１５Ｂの第２係合凸部２６Ｂは、上段に位置する第２折返板部１９Ｂから突出している。第２積層壁１５Ｂの第２係合凹部２７Ｂは、中段に位置する第２基板部１８Ｂに形成されている。そのため、第１係合凹部２７Ａ及び第２係合凸部２６Ｂは、積層壁１５Ａ，１５Ｂの上部で露出している。また、第１係合凸部２６Ａ及び第２係合凹部２７Ｂは、中段の基板部１８Ａ，１８Ｂに形成されているため、下面に補強板部３６Ａ，３６Ｂが位置している。よって、第２補強板部３６Ｂには、中段に位置する第２係合凹部２７Ｂに第１係合凸部２６Ａを係合するために、第２係合凹部２７Ｂに連通する挿通孔４５が第３実施形態と同様に設けられている。
【００５６】
図１３に示すように、第４実施形態の緩衝材１０のブランクを組み立てる際には、例えば補強板部３６Ａ，３６Ｂに対して基板部１８Ａ，１８Ｂを折り曲げた後、基板部１８Ａ，１８Ｂに対して折返板部１９Ａ，１９Ｂを折り曲げる。これにより、各積層壁１５Ａ，１５Ｂに、係合凸部２６Ａ，２６Ｂを形成するとともに、係合凹部２７Ａ，２７Ｂを形成する。ついで、図１１Ａ及び図１１Ｂに示すように、端壁１２Ａ，１２Ｂを折り曲げ、第２積層壁１５Ｂの第２係合凸部２６Ｂを第１積層壁１５Ａの第１係合凹部２７Ａに係合させる。また、第１積層壁１５Ａの第１係合凸部２６Ａを、挿通孔４５を通して第２積層壁１５Ｂの第２係合凹部２７Ｂに係合させる。
【００５７】
（第５実施形態）
図１４及び図１５は第５実施形態の緩衝材１０を示す。この第５実施形態の緩衝材１０では、積層壁１５Ａ，１５Ｂが第２実施形態から第４実施形態と同様に、基板部１８Ａ，１８Ｂと折返板部１９Ａ，１９Ｂと補強板部３６Ａ，３６Ｂとを備えているが、基板部１８Ａ，１８Ｂに対して折返板部１９Ａ，１９Ｂと補強板部３６Ａ，３６Ｂを連設するようにした点で相違する。この緩衝材１０は、第２実施形態と同様に、補強板部３６Ａ，３６Ｂが基板部１８Ａ，１８Ｂと折返板部１９Ａ，１９Ｂの間に位置するように重畳配置する三折型組立方式である。この緩衝材１０の組立状態は、図５Ａ及び図５Ｂに示す第２実施形態と概ね同一である。
【００５８】
図１４に示すように、端壁１２Ａ，１２Ｂには、折曲線１６Ａ，１６Ｂを介して基板部１８Ａ，１８Ｂが連設されている。基板部１８Ａ，１８Ｂには、端壁１２Ａ，１２Ｂから離れて位置する斜辺に、折曲線２０Ａ，２０Ｂを介して折返板部１９Ａ，１９Ｂが連設されている。また、基板部１８Ａ，１８Ｂには、端壁１２Ａ，１２Ｂに隣接する側縁に、折曲線３７Ａ，３７Ｂを介して補強板部３６Ａ，３６Ｂが連設されている。折返板部１９Ａ，１９Ｂにはロック部３３Ａ，３３Ｂが設けられ、補強板部３６Ａ，３６Ｂには切欠溝４３が設けられている。
【００５９】
図１５に示すように、第５実施形態の緩衝材１０のブランクを組み立てる際には、例えば基板部１８Ａ，１８Ｂに対して補強板部３６Ａ，３６Ｂを折り曲げ、基板部１８Ａ，１８Ｂ上に補強板部３６Ａ，３６Ｂを重畳配置する。その後、基板部１８Ａ，１８Ｂに対して折返板部１９Ａ，１９Ｂを折り曲げ、補強板部３６Ａ，３６Ｂ上に折返板部１９Ａ，１９Ｂを重畳配置する。これにより、各積層壁１５Ａ，１５Ｂに、係合凸部２６Ａ，２６Ｂを形成するとともに、係合凹部２７Ａ，２７Ｂを形成する。ついで、端壁１２Ａ，１２Ｂを折り曲げ、各積層壁１５Ａ，１５Ｂの係合凸部２６Ａ，２６Ｂを相手方の積層壁１５Ａ，１５Ｂの係合凹部２７Ａ，２７Ｂに係合させる。
【００６０】
このようにした第３実施形態から第５実施形態の緩衝材１０は、第２実施形態と同様の作用及び効果を得ることができる。また、第２実施形態から第５実施形態に示すように、積層壁１５Ａ，１５Ｂを構成する基板部１８Ａ，１８Ｂ、折返板部１９Ａ，１９Ｂ、及び補強板部３６Ａ，３６Ｂを積層する順番、連設する方向、連設する位置は、希望に応じて変更が可能である。具体的には、補強板部３６Ａ，３６Ｂを配置する部分は、基板部１８Ａ，１８Ｂと折返板部１９Ａ，１９Ｂとの間でもよいし、基板部１８Ａ，１８Ｂの折返板部１９Ａ，１９Ｂと反対側でもよいし、折返板部１９Ａ，１９Ｂの基板部１８Ａ，１８Ｂと反対側でもよい。また、基板部１８Ａ，１８Ｂ、折返板部１９Ａ，１９Ｂ、及び補強板部３６Ａ，３６Ｂの折曲方式は、第２実施形態に示す巻込型組立方式、第３実施形態及び第４実施形態に示す蛇腹型組立方式、第５実施形態に示す三折型組立方式のように、種々の変更が可能である。特に、第４実施形態のように、補強板部３６Ａ，３６Ｂ、基板部１８Ａ，１８Ｂ、及び折返板部１９Ａ，１９Ｂを横方向に連設したブランクであっても、巻込型組立方式を採用してもよい。また、第５実施形態のように、基板部１８Ａ，１８Ｂに折返板部１９Ａ，１９Ｂと補強板部３６Ａ，３６Ｂとを連設したブランクであっても、補強板部３６Ａ，３６Ｂを折返板部１９Ａ，１９Ｂの上に重畳配置してもよい。
【００６１】
（第６実施形態）
図１６から図１８は第６実施形態の緩衝材１０を示す。この第６実施形態の緩衝材１０では、図１６に示すように、端壁１２Ａ，１２Ｂ及び積層壁１５Ａ，１５Ｂを横方向に長い長方形状とした点で、各実施形態と相違する。また、図１７に示すように、補強板部３６Ａ，３６Ｂを基板部１８Ａ，１８Ｂの端壁１２Ａ，１２Ｂと対向する辺に連設した点で、第５実施形態と相違する。
【００６２】
詳しくは、図１６に示すように、積層壁１５Ａ，１５Ｂは、端壁１２Ａ，１２Ｂの下端から同一方向に折り曲げられている。各積層壁１５Ａ，１５Ｂは、下側から順番に、基板部１８Ａ，１８Ｂ、補強板部３６Ａ，３６Ｂ、及び折返板部１９Ａ，１９Ｂが重畳配置されている。図１８を併せて参照すると、第１積層壁１５Ａには、第１基板部１８Ａに第１係合凸部２６Ａが形成され、第１折返板部１９Ａに第１係合凹部２７Ａが形成されている。第２積層壁１５Ｂには、第２折返板部１９Ｂに第２係合凸部２６Ｂが形成され、第２基板部１８Ｂに第２係合凹部２７Ｂが形成されている。第１積層壁１５Ａの第１係合凹部２７Ａは、第１補強板部３６Ａによる段ボールシート分の間隔をあけて一端側が第１基板部１８Ａで塞がれている。第２積層壁１５Ｂの第２係合凹部２７Ｂは、第２補強板部３６Ｂによる段ボールシート分の間隔をあけて一端側が第２折返板部１９Ｂで塞がれている。
【００６３】
図１７を参照すると、緩衝材１０のブランクは、一対の端壁１２Ａ，１２Ｂを備えている。これら端壁１２Ａ，１２Ｂは、折曲線１３を介して横方向に連設されている。第１端壁１２Ａの下縁には、折曲線１６Ａを介して第１積層壁１５Ａが連設されている。第２端壁１２Ｂの下縁には、折曲線１６Ｂを介して第２積層壁１５Ｂが連設されている。
【００６４】
積層壁１５Ａ，１５Ｂは、折曲線１６Ａ，１６Ｂを介して端壁１２Ａ，１２Ｂに連設された直角台形状の基板部１８Ａ，１８Ｂを備えている。基板部１８Ａ，１８Ｂには、折曲線１６Ａ，１６Ｂに対して傾斜した内側の斜辺に、折曲線２０Ａ，２０Ｂを介して直角台形状の折返板部１９Ａ，１９Ｂが連設されている。また、基板部１８Ａ，１８Ｂには、折曲線１６Ａ，１６Ｂに沿って平行に位置する対向辺に、折曲線３７Ａ，３７Ｂを介して補強板部３６Ａ，３６Ｂが連設されている。補強板部３６Ａ，３６Ｂは、基板部１８Ａ，１８Ｂの側方だけに重畳し、斜辺側には重畳しない四角形状に形成されている。
【００６５】
図１８に示すように、第６実施形態の緩衝材１０のブランクを組み立てる際には、例えば基板部１８Ａ，１８Ｂに対して補強板部３６Ａ，３６Ｂを折り曲げ、基板部１８Ａ，１８Ｂ上に補強板部３６Ａ，３６Ｂを重畳配置する。ついで、基板部１８Ａ，１８Ｂに対して折返板部１９Ａ，１９Ｂを折り曲げ、補強板部３６Ａ，３６Ｂ上に折返板部１９Ａ，１９Ｂを重畳配置する。これにより、各実施形態と同様に、積層壁１５Ａ，１５Ｂに係合凸部２６Ａ，２６Ｂ及び係合凹部２７Ａ，２７Ｂが形成される。その後、折曲線１３に沿って端壁１２Ａ，１２Ｂを折り曲げ、第１積層壁１５Ａの第１係合凸部２６Ａを第２積層壁１５Ｂの第２係合凹部２７Ｂに係合させ、第２積層壁１５Ｂの第２係合凸部２６Ｂを第１積層壁１５Ａの第１係合凹部２７Ａに係合させる。
【００６６】
これにより積層壁１５Ａ，１５Ｂの厚さ方向において、係合凸部２６Ａ，２６Ｂが上下両方向から係合凹部２７Ａ，２７Ｂに係合した緩衝材１０を組み立てることができる。そして、この緩衝材１０は、各実施形態と同様の作用及び効果を得ることができる。また、この第６実施形態のように積層壁１５Ａ，１５Ｂを横長な形状とする構成は、第１実施形態から第５実施形態の緩衝材１０にも用いることができる。
【００６７】
（第７実施形態）
図１９及び図２０は第７実施形態の緩衝材１０を示す。この第７実施形態の緩衝材１０では、第１端壁１２Ａ及び第２端壁１２Ｂの一端側に、第１積層壁１５Ａ及び第２積層壁１５Ｂからなる第３端壁１２Ｃを設けるとともに、第１端壁１２Ａ及び第２端壁１２Ｂの他端側に、第１緩衝壁６０Ａ及び第２緩衝壁６０Ｂからなる第４端壁１２Ｄを設けた点で、各実施形態と相違する。
【００６８】
図１９に示すように、端壁１２Ａ，１２Ｂは、それぞれ平坦な長方形状の板であり、互いに９０度間隔をあけて位置するように折り曲げられている。第１端壁１２Ａと第２端壁１２Ｂとは、上下方向の中央に配置されており、折曲線１３を介して連設されている。端壁１２Ａ，１２Ｂには、横方向に延びる第１係止孔５０が、積層壁１５Ａ，１５Ｂ側に横方向に間隔をあけて２箇所、緩衝壁６０Ａ，６０Ｂ側に１箇所設けられている。第１係止孔５０は、打ち抜きによって形成された細長いスリットからなる。
【００６９】
積層壁１５Ａ，１５Ｂは、端壁１２Ａ，１２Ｂの下縁から同一方向に屈曲されている。積層壁１５Ａ，１５Ｂの基板部１８Ａ，１８Ｂは直角台形状に形成されており、端壁１２Ａ，１２Ｂに折曲線１６Ａ，１６Ｂを介して連設されている。本実施形態の基板部１８Ａ，１８Ｂには、折曲線１６Ａ，１６Ｂに沿って、打ち抜きによって形成された細長いスリットからなる一対の第２係止孔５１が設けられている。積層壁１５Ａ，１５Ｂの折返板部１９Ａ，１９Ｂは、基板部１８Ａ，１８Ｂの斜辺に折曲線２０Ａ，２０Ｂを介して連設されている。この折返板部１９Ａ，１９Ｂは、基板部１８Ａ，１８Ｂの斜辺を同一の斜辺とする直角二等辺三角形状に形成されている。
【００７０】
第１積層壁１５Ａには、第１折返板部１９Ａに切断線２８Ａを設けることで、第１基板部１８Ａに第１係合凸部２６Ａが形成され、第１折返板部１９Ａに第１係合凹部２７Ａが形成されている。第２積層壁１５Ｂには、第２基板部１８Ｂに切断線２８Ｂを設けることで、第２折返板部１９Ｂに第２係合凸部２６Ｂが形成され、第２基板部１８Ｂに第２係合凹部２７Ｂが形成されている。
【００７１】
第７実施形態の第３端壁１２Ｃには、第１積層壁１５Ａの先端から第１端壁１２Ａにかけて傾斜して延びる第１保持板部５２Ａが設けられ、第２積層壁１５Ｂの先端から第２端壁１２Ｂにかけて傾斜して延びる第２保持板部５２Ｂが設けられている。保持板部５２Ａ，５２Ｂは、リード罫からなる折曲線５３Ａ，５３Ｂを介して基板部１８Ａ，１８Ｂに連設されている。保持板部５２Ａ，５２Ｂは、基板部１８Ａ，１８Ｂに概ね対応する直角台形状に形成されている。
【００７２】
保持板部５２Ａ，５２Ｂの先端には、保持板部５２Ａ，５２Ｂの傾斜状態を保持する位置決め板部５５Ａ，５５Ｂが設けられている。位置決め板部５５Ａ，５５Ｂは、細長い長方形状に形成されており、折曲線５６Ａ，５６Ｂを介して保持板部５２Ａ，５２Ｂに連設されている。保持板部５２Ａ，５２Ｂには、端壁１２Ａ，１２Ｂの第１係止孔５０，５０に係止される一対の第１係止片５７が折曲線５６Ａ，５６Ｂを起点として突設されている。位置決め板部５５Ａ，５５Ｂには、基板部１８Ａ，１８Ｂの第２係止孔５１，５１に係止される一対の第２係止片５８，５８が突設されている。
【００７３】
緩衝壁６０Ａ，６０Ｂは、端壁１２Ａ，１２Ｂの上縁から積層壁１５Ａ，１５Ｂと同一方向に屈曲されている。この緩衝壁６０Ａ，６０Ｂは、端壁１２Ａ，１２Ｂに連続した外板部６２Ａ，６２Ｂと、外板部６２Ａ，６２Ｂに連続した端板部７０Ａ，７０Ｂと、端板部７０Ａ，７０Ｂに連続した内板部７７Ａ，７７Ｂとを備えている。
【００７４】
外板部６２Ａ，６２Ｂは、基板部１８Ａ，１８Ｂと線対称な直角台形状に形成され、端壁１２Ａ，１２Ｂにリード罫からなる折曲線６３を介して連設されている。第１外板部６２Ａの斜辺にはロック片６４が突設されている。第２外板部６２Ｂの斜辺には重畳板部６５が折曲線６６を介して連設されている。また、第２外板部６２Ｂには、折曲線６６に沿ってロック片６４が貫通係止されるロック孔６７が設けられている。
【００７５】
端板部７０Ａ，７０Ｂは、それぞれ同一方向に屈曲されるが傾斜角度が異なる第１部分７１から第３部分７３を備えている。これら第１部分７１から第３部分７３は、折曲線６３に沿って平行に延びる外板部６２Ａ，６２Ｂの斜辺を除く辺に連設されている。第１部分７１は、外板部６２Ａ，６２Ｂの両端に位置しており、外板部６２Ａ，６２Ｂに対して直交方向に延びるように屈曲されている。第２部分７２は、外板部６２Ａ，６２Ｂの先端から積層壁１５Ａ，１５Ｂ側かつ端壁１２Ａ，１２Ｂに近づく方向に傾斜して延びるように屈曲されている。第３部分７３は、外板部６２Ａ，６２Ｂの先端から積層壁１５Ａ，１５Ｂ側かつ端壁１２Ａ，１２Ｂから離れる方向に傾斜して延びるように屈曲されている。これら第１部分７１から第３部分７３は、外板部６２Ａ，６２Ｂから内板部７７Ａ，７７Ｂにかけて延びる切断線７４によって区画されている。また、第１部分７１から第３部分７３は、折曲線６３に沿って平行に延びる折曲線７５を介して外板部６２Ａ，６２Ｂにそれぞれ連設されている。
【００７６】
内板部７７Ａ，７７Ｂは、折曲線７５に沿って平行に延びる折曲線７８を介して端板部７０Ａ，７０Ｂの第１部分７１から第３部分７３に連設されている。この内板部７７Ａ，７７Ｂは、外板部６２Ａ，６２Ｂの下端から端壁１２Ａ，１２Ｂに向けて直交方向に延びるように屈曲されている。内板部７７Ａ，７７Ｂには、端壁１２Ａ，１２Ｂの第１係止孔５０に係止される係止片７９が突設されている。
【００７７】
第７実施形態の緩衝材１０のブランクを組み立てる際には、例えば基板部１８Ａ，１８Ｂに対して折返板部１９Ａ，１９Ｂを折り曲げることで、係合凸部２６Ａ，２６Ｂを形成するとともに、係合凹部２７Ａ，２７Ｂを形成する。ついで、基板部１８Ａ，１８Ｂに対して保持板部５２Ａ，５２Ｂを折り曲げるとともに、保持板部５２Ａ，５２Ｂに対して位置決め板部５５Ａ，５５Ｂを折り曲げる。そして、端壁１２Ａ，１２Ｂに対して基板部１８Ａ，１８Ｂを折り曲げて、第１係止片５７を第１係止孔５０に係止するとともに、第２係止片５８を第２係止孔５１に係止する。
【００７８】
また、外板部６２Ａ，６２Ｂに対して端板部７０Ａ，７０Ｂを折り曲げるとともに、端板部７０Ａ，７０Ｂに対して内板部７７Ａ，７７Ｂを折り曲げる。そして、端壁１２Ａ，１２Ｂに対して外板部６２Ａ，６２Ｂを折り曲げて、係止片７９を第１係止孔５０に係止する。
【００７９】
その後、端壁１２Ａ，１２Ｂを折り曲げ、第１積層壁１５Ａの第１係合凸部２６Ａを第２積層壁１５Ｂの第２係合凹部２７Ｂに係合させるとともに、第２積層壁１５Ｂの第２係合凸部２６Ｂを第１積層壁１５Ｂの第１係合凹部２７Ａに係合させる。また、第２緩衝壁６０Ｂの重畳板部６５を第１緩衝壁６０Ａの第１外板部６２Ａの内面側に配置し、第１外板部６２Ａのロック片６４を第２外板部６２Ｂの外側からロック孔６７に挿入する。
【００８０】
このように、第７実施形態の緩衝材１０は、一方の積層壁１５Ａ，１５Ｂ側で係合凸部２６Ａ，２６Ｂと係合凹部２７Ａ，２７Ｂとが係合し、他方の緩衝壁６０Ａ，６０Ｂ側でロック片６４とロック孔６７とが係合することで、組立状態が維持される。そして、この緩衝材１０には、積層壁１５Ａ，１５Ｂからなる第３端壁１２Ｃと、緩衝壁６０Ａ，６０Ｂからなる第４端壁１２Ｄの間に物品を配置することで、外部からの衝撃から物品を保護することができる。
【００８１】
このようにした第７実施形態では、第１実施形態と同様の作用及び効果を得ることができる。また、この第７実施形態のように、緩衝材１０はコーナーパッドに限られず、種々の変更が可能である。
【００８２】
なお、本発明の緩衝材１０は、前記実施形態の構成に限定されず、種々の変更が可能である。
【００８３】
例えば、積層壁１５Ａ，１５Ｂは、基板部１８Ａ，１８Ｂに対して折返板部１９Ａ，１９Ｂを端壁１２Ａ，１２Ｂの先端（上方）に向けて積層したが、反対向き（離れる方向）に積層してもよい。また、第２実施形態から第６実施形態では、１枚の補強板部３６Ａ，３６Ｂを設けたが、２枚以上設けてもよい。また、端壁１２Ａ，１２Ｂは、１枚からなる単層構造としたが、２枚以上の積層構造としてもよい。
【００８４】
また、折曲線２０Ａ，２０Ｂ，３７Ａ，３７Ｂは、ブリッジ部２１，３８と切断部２４，４１とを備える構成としたが、肉厚を圧縮するように押罫を入れて形成した汎用罫線によって構成してもよいし、折曲線１３と同様のリード罫によって構成してもよいし、段ボールシートの肉厚の一部を切断したハーフカット線によって構成してもよい。即ち、折曲線２０Ａ，２０Ｂ，３７Ａ，３７Ｂは、材質に応じて折曲可能な構成であれば種々の変更が可能である。
【００８５】
また、緩衝材１０は、第１実施形態から第５実施形態では平面視四角形状に形成し、第６実施形態及び第２実施形態では平面視Ｌ字形状に形成したが、その形状は種々の変更が可能である。例えば、図２１Ａに示すように、折曲線２０Ａ，２０Ｂに対して直交する方向の幅を狭くした菱形状としてもよいし、図２１Ｂに示すように、折曲線２０Ａ，２０Ｂに対して直交する方向の幅を広くした菱形状としてもよい。即ち、第１端壁１２Ａに対して第２端壁１２Ｂを折り曲げる角度は、９０度に限らず、希望に応じて変更することが可能である。
【００８６】
また、端壁１２Ａ，１２Ｂ及び積層壁１５Ａ，１５Ｂは、平坦な板からなる例を挙げて説明したが、屈曲又は湾曲した形状であってもよい。そして、前記実施形態では、紙製の段ボールシートを打ち抜いて緩衝材１０を形成したが、樹脂製の段ボールシートを打ち抜いて形成してもよい。また、段ボールシートに限られず、単一の厚紙や樹脂シートにより形成してもよい。
【符号の説明】
【００８７】
１Ａ，１Ｂ…段ボールシート
２…表ライナ
３…裏ライナ
４…中ライナ
５…中しん
１０…緩衝材
１２Ａ…第１端壁
１２Ｂ…第２端壁
１２Ｃ…第３端壁
１２Ｄ…第４端壁
１３…折曲線
１５Ａ…第１積層壁
１５Ｂ…第２積層壁
１６Ａ…折曲線（第１縁）
１６Ｂ…折曲線（第２縁）
１８Ａ…第１基板部
１８Ｂ…第２基板部
１９Ａ…第１折返板部
１９Ｂ…第２折返板部
２０Ａ…折曲線（第１折曲線）
２０Ｂ…折曲線（第２折曲線）
２１…ブリッジ部
２２…切断線
２３…折曲線
２４…切断部
２６Ａ…第１係合凸部
２６Ｂ…第２係合凸部
２７Ａ…第１係合凹部
２７Ｂ…第２係合凹部
２８Ａ…切断線（第１切断線）
２８Ｂ…切断線（第２切断線）
２９…第１切断部
３０…第２切断部
３２Ａ…第１ロック孔
３２Ｂ…第２ロック孔
３３Ａ…第１ロック部
３３Ｂ…第２ロック部
３４…切断線
３６Ａ…第１補強板部
３６Ｂ…第２補強板部
３７Ａ，３７Ｂ…折曲線
３８…ブリッジ部
３９…切断線
４０…折曲線
４１…切断部
４３…切欠溝
４５…挿通孔
５０…第１係止孔
５１…第２係止孔
５２Ａ，５２Ｂ…保持板部
５３Ａ，５３Ｂ…折曲線
５５Ａ，５５Ｂ…位置決め板部
５６Ａ，５６Ｂ…折曲線
５７…第１係止片
５８…第２係止片
６０Ａ，６０Ｂ…緩衝壁
６２Ａ，６２Ｂ…外板部
６３…折曲線
６４…ロック片
６５…重畳板部
６６…折曲線
６７…ロック孔
７０Ａ，７０Ｂ…端板部
７１…第１部分
７２…第２部分
７３…第３部分
７４…切断線
７５…折曲線
７７Ａ，７７Ｂ…内板部
７８…折曲線
７９…係止片
【図１Ａ】
0006559015.tif 000002
【図１Ｂ】
0006559015.tif 000003
【図２Ａ】
0006559015.tif 000004
【図２Ｂ】
0006559015.tif 000005
【図３Ａ】
0006559015.tif 000006
【図３Ｂ】
0006559015.tif 000007
【図３Ｃ】
0006559015.tif 000008
【図４】
0006559015.tif 000009
【図５Ａ】
0006559015.tif 000010
【図５Ｂ】
0006559015.tif 000011
【図６】
0006559015.tif 000012
【図７Ａ】
0006559015.tif 000013
【図７Ｂ】
0006559015.tif 000014
【図８Ａ】
0006559015.tif 000015
【図８Ｂ】
0006559015.tif 000016
【図９】
0006559015.tif 000017
【図１０】
0006559015.tif 000018
【図１１Ａ】
0006559015.tif 000019
【図１１Ｂ】
0006559015.tif 000020
【図１２】
0006559015.tif 000021
【図１３】
0006559015.tif 000022
【図１４】
0006559015.tif 000023
【図１５】
0006559015.tif 000024
【図１６】
0006559015.tif 000025
【図１７】
0006559015.tif 000026
【図１８】
0006559015.tif 000027
【図１９】
0006559015.tif 000028
【図２０】
0006559015.tif 000029
【図２１Ａ】
0006559015.tif 000030
【図２１Ｂ】
0006559015.tif 000031